(57)【要約】【課題】収納容器を一杯に引き出した全開時に下方への撓み量を小さく抑え見栄えの向上を図る。【解決手段】左右一対のスライドレール５を庫内壁面１５に固定支持された固定レール７と固定レール７に対して一杯に引き出された状態と収納された状態とにスライド可能な可動レール９とで構成する。前記スライドレール５には収納容器１を着脱自在に支持し、前記収納容器１が一杯に引き出された全開時に、固定レール７のレール端末部７−１と収納容器１の後端部とに一定のラップ代Ｌを作り、ラップ代Ｌによって収納容器１の荷重の一部分を固定レール７により受け持つことで、可動レール９の荷重負担を低減し撓みを小さく抑える。【選択図】図１
2009030875.tif 000002
【特許請求の範囲】
【請求項１】
少なくとも庫内壁面に固定支持された固定レールと固定レールに対して一杯に引き出された状態と収納された状態とにスライド可能な可動レールとからなる左右一対のスライドレールと、スライドレールに対して着脱自在に支持された収納容器とを有し、
前記収納容器が一杯に引き出された全開時に、固定レールのレール端末部と収納容器の後端部とに一定のラップ代が作られることを特徴とする冷蔵庫。
【請求項２】
少なくとも庫内壁面に固定支持された固定レールと固定レールに対して一杯に引き出された状態と収納された状態とにスライド可能な可動レールと前記固定レール内に配置され前記可動レールを円滑にスライド移動させる所定の長さを有するガイドローラとからなる左右一対のスライドレールと、前記左右のスライドレールに支持された収納容器とを有し、前記収納容器が一杯に引き出された全開時に、前記固定レールのレール端末部に臨む前記ガイドローラと収納容器の後端部とに一定のラップ代が作られることを特徴とする冷蔵庫。
【請求項３】
前記左右のスライドレールは、垂直な左右の庫内壁面と前記収納容器の底部へ向かって前記庫内壁面までの隙間が順々に広くなる左右の容器テーパ壁面とによって作られるスペース内に配置されることを特徴とする請求項１又は２記載の冷蔵庫。
【請求項４】
前記左右のガイドレールは、垂直な庫内壁面から前記収納容器へ向かって張り出した張り出し部に取付けられ、前記収納容器の容器テーパ壁面に対して近接配置となっていることを特徴とする請求項３記載の冷蔵庫。
【請求項５】
前記左右のスライドレールの可動レールは、全領域にわたって上方を覆う屋根を有していることを特徴とする請求項１、２，３、４のいずれかに記載の冷蔵庫。
【請求項６】
前記屋根は、収納容器を支持する支持ブラケットによって形成されていることを特徴とする請求項５記載の冷蔵庫。
【請求項７】
前記支持ブラケットは、収納容器の底部を着脱自在に支持する支持棚部を有していることを特徴とする請求項６記載の冷蔵庫。
【発明の詳細な説明】
【技術分野】
【０００１】
本発明は引き出し式の収納容器を備えた冷蔵庫に関する。
【背景技術】
【０００２】
一般に引き出し式の収納容器は、例えば、野菜室、冷凍室のように全面が引き出し扉となっていて、その内側に収納容器が設けられたタイプと、ヒンジ式の開閉扉を備えた冷蔵室内に収納容器が設けられたタイプがある。いずれのタイプの収納容器も左右のガイドレールにガイドされて一杯に引き出された全開状態と収納された全閉状態とにスライド可能となっている。
【０００３】
スライドレールは、庫内壁面に固定支持される固定レールとその固定レールに対して一杯に引き出される状態と収納された状態とにスライド可能な可動レールとで構成される。
【０００４】
可動レールは、収納容器を支持するようになっていて、可動レールが一杯に引き出された時に収納容器を支持した状態で収納容器の全開状態が得られるようになっている（特許文献１参照）。
【特許文献１】特願２００６−１７７６５６号公報
【発明の開示】
【発明が解決しようとする課題】
【０００５】
収納容器は固定レールに対して可動レールが一杯に引き出された時に全開状態となり、収納容器全開時の荷重は、可動レールに集中すると共に可動レールは片持ち支持の状態となる。
【０００６】
片持ち支持は、例えば、図１１に示す如く固定レール１０１に対して可動レール１０３の自由端がフリーとなる支持のない状態におかれるため、荷重Ｗの作用で自由端側が鎖線で示すように下降する撓みが発生する。下降する撓み量は荷重に比例して大きくなり、見栄えの面で望ましくない。しかも、全開から全閉時の円滑なスライド移動を困難にする。
【０００７】
特に、近年は収納容器の大型化が求められ、一杯に入れられた時の重量も増加する傾向にある。
【０００８】
そこで、本発明にあっては、簡単な工夫により収納容器を一杯に引き出した全開時において下方への撓み量を小さく抑えることができるようにした冷蔵庫を提供することを目的としている。
【課題を解決するための手段】
【０００９】
前記目的を達成するために、本発明の第１にあっては、少なくとも庫内壁面に固定支持された固定レールと固定レールに対して一杯に引き出された状態と収納された状態とにスライド可能な可動レールとからなる左右一対のスライドレールと、スライドレールに対して着脱自在に支持された収納容器とを有し、前記収納容器が一杯に引き出された全開時に、固定レールのレール端末部と収納容器の後端部とに一定のラップ代が作られることを特徴とする。
【００１０】
第２にあっては、少なくとも庫内壁面に固定支持された固定レールと固定レールに対して一杯に引き出された状態と収納された状態とにスライド可能な可動レールと前記固定レール内に配置され前記可動レールを円滑にスライド移動させる所定の長さを有するガイドローラとからなる左右一対のスライドレールと、前記左右のスライドレールに支持された収納容器とを有し、前記収納容器が一杯に引き出された全開時に、前記固定レールのレール端末部に臨む前記ガイドローラと収納容器の後端部とに一定のラップ代が作られることを特徴とする。
【発明の効果】
【００１１】
本発明によれば、収納容器を一杯に引き出した全開時において、固定支持された状態にある固定レールのレール端末部又はガイドローラのローラ端末部と、収納容器の後端部とによって作られる一定のラップ代によって、収納容器の荷重の一部分を固定レールで受け持つことができるようになるため、その固定レールの荷重分担分、可動レールに作用する荷重が低減される結果、可動レールの撓み量を小さく抑えることができる。また、全開から全閉時のスライド移動を円滑に行なえるようになる。
【発明を実施するための最良の形態】
【００１２】
本発明を実施するにあたって、第１に前記左右のスライドレールにあっては、垂直な左右の庫内壁面と前記収納容器の底部へ向かって前記庫内壁面までの隙間が順々に広くなる左右の容器テーパ壁面とによって作られるスペース内に配置されるようにすることで、スペースを有効利用し収納容器の容積を小さくすることなく取付けることができるようにすることが望ましい。
【００１３】
第２に前記左右のガイドレールにあっては、垂直な庫内壁面から前記収納容器へ向かって張り出した張り出し部に取付けられ、前記収納容器の容器テーパ壁面に対して近接配置とすることで、正面から直接ガイドレールを見えなくし見栄えの向上が図れるようにすることが望ましい。
【００１４】
第３に前記左右のスライドレールの可動レールにあっては、全領域にわたって上方を覆う屋根を有するようにすることで、全閉時にスライドレール全体が屋根によって覆われ庫内で容器を倒した時にその容器内の液体等が直接スライドレール内に入らないように阻止することが望ましい。
【００１５】
第４に前記屋根にあっては、収納容器を支持する支持ブラケットによって形成することで、支持ブラケットを利用して屋根を作るようにすることが望ましい。
【００１６】
第５に前記支持ブラケットにあっては、収納容器の底部を着脱自在に支持する支持棚部を有するようにすることで、スライドレールに対する収納容器の装着セット及び取り外しが容易に行なえるようにすることが望ましい。
【実施例】
【００１７】
以下、図１乃至図１０の図面を参照しながら本発明の実施形態について具体的に説明する。
【００１８】
＜第１の実施形態＞
第１の実施形態は野菜室又は冷凍室として使用される引き出し扉を備えた収納容器に係るもので、図１から図３に基づき説明する。図１は収納容器の全開状態を示した概要側面図、図２は引き出し扉を省略した図１の概要斜視図をそれぞれ示したものである。収納容器１は上方が開放された前面１ａ、後面１ｂ、左右両側面１ｃからなり、前方は引き出し扉３となっている。
【００１９】
引き出し扉３は、左右一対のスライドレール５に取付けられている。
【００２０】
スライドレール５は固定レール７と、その固定レール７に対して一杯に引き出された状態と収納された状態とにスライド可能な可動レール９と、可動レール９の円滑なスライド移動を助けるガイドローラ１１とで構成されている。
【００２１】
固定レール７は、庫内１３の左右の庫内壁面１５に取付け手段となるビス１７によって固定支持されている。
【００２２】
可動レール９は、第１可動レール９ａと第２可動レール９ｂの組合せからなり、この組合せにより全開時の全開ストロークが大きく確保できるようになっている。
【００２３】
この場合、全開時の全開ストロークがあまり大きく必要としない収納容器にあっては１つの可動レールで対応することも可能である。
【００２４】
第１、第２可動レール９ａ、９ｂは全開時の全開ストロークが大きくとれるように組合せ可動レールとなっていることは前記した通りであるが、第２可動レール９ｂには支持ブラケット１９及び取付けブラケット２１を有し、支持ブラケット１９は図２に示す如く庫内壁面１５のガイド溝２３に沿ってスライド可能となっている。取付けブラケット２１には前記引き出し扉３が取付けられ、左右のガイドレール５とでコ字状の支持枠が作られることで、その支持枠内に収納容器１の上方フランジ部が支持された構造となっている。
【００２５】
ガイドローラ１１は、第１、第２ガイドローラ１１ａ、１１ｂとで構成され、第１ガイドローラ１１ａは第１可動レール９ａ用、第２ガイドローラ１１ｂは第２可動レール９ｂ用となっている。
【００２６】
第１、第２ガイドローラ１１ａ、１１ｂは図３に示す如くリテーナ２３の上下にボール２５が所定の間隔で回転自在に設けられている。第１ガイドローラ１１ａのボール２５の外側は固定レール７のボール保持部７ａによって保持され、ボール２５の内側は第１可動レール９ａのボール保持部９ａ−１によって保持されている。第２ガイドローラ１１ｂのボール２５の外側は第１可動レール９ａのボール保持部９ａ−２によって、ボール２５の内側は第２可動レール９ｂのレール保持部９ｂ−１によってそれぞれ保持されている。
【００２７】
したがって、第１、第２ガイドローラ１１ａ，１１ｂは第１、第２可動レール９ａ、９ｂの移動時にその移動方向に沿って自由な移動が可能となり、図１に示す如く一杯に引き出された全開時、第１、第２ガイドローラ１１ａ，１１ｂは固定レール７及び第１可動レール９ａのレール端末部７−１、９−１にそれぞれ設けられたストッパＳ、Ｓ１に当ることで各レール端末部７−１、９−１にそれぞれ臨むようになっている。
【００２８】
収納容器１は一杯に引き出された全開時において、スライドレール５を構成する固定レール７のレール端末部７−１に臨む第１ガイドローラ１１ａと、収納容器１の後端部とが一定のラップ代Ｌが確保される関係に設定されている。
【００２９】
なお、ガイドローラのないタイプのスライドレール５にあっては固定レール７のレール端末部７−１と収納容器１の後端部とに一定のラップ代Ｌが確保されるようにすることが望ましい。
【００３０】
ラップ代Ｌは、可動レール９に全荷重が作用していた従来手段に比べて、荷重の一部分が固定レール７に移動することで、固定レール７が分担する荷重分、可動レール９に作用する荷重の低減を図ることが可能となっている。
【００３１】
このように構成された収納容器１において引き出し扉３を一杯に引き出すことで収納容器１の全開状態が得られる。
【００３２】
収納容器１の全開時、固定レール７のレール端末部７−１に臨む第１ガイドローラ１１ａと収納容器１の背面１ｂ側となる後端部とにラップ代Ｌが作られる結果、可動レール９にかかる荷重の一部分を固定レール７によって受け持つことができるようになり、固定レール７が分担した荷重分、可動レール９に作用する荷重の低減が図られ下降する撓みを小さく抑えると共に、見栄えを向上させる。
【００３３】
また、全開から全閉へのスライド移動が円滑に行なえるようになる。
【００３４】
＜第２の実施形態＞
図４から図１０は冷蔵室２７内に設けられた収納容器２９に係る第２の実施形態を示している。
【００３５】
冷蔵室２７は、開閉扉３１の内側にドアポケット３３を有する一方、庫内には複数の棚部３５を始めとして図５に示す如く給水タンク３７及びチルド室３９が設けられ、その上方は収納容器２９が配置されている。
【００３６】
収納容器２９は、図１０のように上方及び前方が開放された後述する取手４１を兼ねる前面２９ａと背面２９ｂ及び左右両側面２９ｃからなり、収納容器前面は下から上へ向けて手を入れる垂直な前記した取手４１となっている。
【００３７】
収納容器２９の前面開口は、庫内壁面４２に両端支技された状態で吊下げられた上下２枚の回動自在のカバー板４２ａ、４２ｂによって閉塞されると共に収納容器２９の左右両側面は、図５に示す如く正面からみた時に、上端から底部へ向かって下降傾斜する容器テーパ壁面２９ａとなっている。
【００３８】
容器テーパ壁面２９ａは、収納容器２９を型抜きする時に必要となる型抜き勾配となっており、庫内にセットした時に左右の垂直な庫内壁面４２との間に上から下方へ向かって隙間が順々に広がるスペース４３が作られるようになっている。
【００３９】
左右のスペース４３内には前記収納容器２９を全開状態と全閉状態とにスライド移動するスライドレール４５が設けられている。
【００４０】
スライドレール４５は固定レール４７と、その固定レール４７に対して一杯に引き出された状態と収納された状態とにスライド可能な可動レール４９と、前記可動レール４９の円滑なスライド移動を助けるガイドローラ５１とで構成されている。
【００４１】
固定レール４７は垂直な庫内壁面４２から前記収納容器２９に向かって張り出した張り出し部５３に取付け手段となるビス５５によって固定支持されている。
【００４２】
これにより、左右のスライドレール４５は前記収納容器２９側に近接配置された状態となることで、図５に示す如く正面からみた時に前面の取手４１の内側に隠れて直接見えることがなくなり見栄えの向上が図られている。
【００４３】
ガイドローラ５１は図６、図８に示す如くリテーナ５７の上下にボール５９が所定の間隔で回転自在に設けられ、ボール５９の外側は固定レール４７のボール保持部４７ａによって保持されている。ボール５９の内側は可動レール４９のボール保持部４９ａによって保持されている。
【００４４】
したがって、ガイドローラ５１は、可動レール４９の移動時にその移動方向に沿って自由な移動が可能となり図９に示す如く一杯に引き出された全開時、ガイドローラ５１は固定レール４７のレール端末部４７−１に設けられたストッパＳ３に当たることでレール端末部４７−１にそれぞれ臨むようになっている。
【００４５】
収納容器２９は、一杯に引き出された全開時において、スライドレール４５を構成する固定レール４７のレール端末部４７−１に臨むガイドローラ５１と収納容器２９の後端部とが一定のラップ代Ｌが確保される関係に設定されている。
【００４６】
なお、ガイドローラ５１のないタイプのスライドレール４５にあっては固定レール４７のレール端末部４７−１と収納容器２９の後端部との間に一定のラップ代Ｌが確保されるようにすることが望ましい。
【００４７】
ラップ代Ｌは、可動レール４９に全荷重が作用していた従来手段に比べて、荷重の一部分が固定レール４７に移動することで、固定レール４７が分担する荷重分、可動レール４９に作用する荷重の低減を図ることが可能となっている。
【００４８】
一方、可動レール４９は、図６、図７、図８に示す如く収納容器２９を支持する支持ブラケット６１を有している。
【００４９】
支持ブラケット６１は、前記可動レール４９とほぼ同一長さに形成され前記可動レール４９に取付けられた垂直な取付け部６３と、取付け部６３の上端から可動レール４９の上方を覆う円弧状に屈曲された屋根６５と、取付け部６３の下端から収納容器２９側へ向かって屈折された水平な支持棚部６７とからなる形状となっている。
【００５０】
支持棚部６７は、前記収納容器２９の底部を支持するようになっていて収納容器２９の底部に設けられた前後左右一対の突起部６８と係合し合う係合孔６９を有している。
【００５１】
したがって、収納容器２９の突起部６８を係合孔６９に係合させることで装着セットが可能となる。また、収納容器２９を上方へ持ち上げれば係合孔６９から突起部６８が外れ、取外しが可能となる。
【００５２】
この第２の実施形態によれば、前記第１の実施形態の作用、効果に加えて、収納容器２９の底部へ向かって順次に隙間が広がる遊びのスペース４３内にスライドレール４５を配置することができるようになり、収納容器２９の容積を小さくすることなくスライドレール４５の配置が行なえる。
【００５３】
また、収納容器２９の容積テーパ壁面２９ａに近接配置されたスライドレール４５は、図５に示す如く前面の取手４１の内側に位置し、正面から見た時に隠れて見えることはなく見栄えの向上が図れる。
【００５４】
また、例えば、図７に示すように庫内で容器７１を倒した時に容器７１内の液体が下に流れ落ちても屋根６５によってスライドレール４５に直接かかることがなくなり、円滑なスライド状態が長期間にわたって得られるようになる。
【図面の簡単な説明】
【００５５】
【図１】第１の実施形態を示したもので、本発明にかかる冷蔵庫本体から引き出し扉を備えた収納容器を一杯に引き出した全開時の概要側面図。
【図２】引き出し扉を仮想線で示した図１の概要斜視図。
【図３】第１ガイドローラを示した概要断面図。
【図４】第２の実施形態を示したもので、本発明に係る冷蔵室内を示した概要切断側面図。
【図５】冷蔵室内を示した概要正面図。
【図６】スライドレールの分解斜視図。
【図７】庫内壁面の張り出し部にガイドレールを取付けた状態を示す片側のみを示した概要斜視図。
【図８】図７のＡ−Ａ線断面図。
【図９】可動レールを一杯に引き出した状態の一方のガイドレールの概要側面図。
【図１０】収納容器を一杯に引き出した全開時のガイドローラの概要斜視図。
【図１１】固定レールから可動レールを一杯に引き出した時の動作説明図。
【符号の説明】
【００５６】
＜第１の実施形態＞
１    収納容器
３    引き出し扉
５    スライドレール
７    固定レール
７−１    レール端末部
９    可動レール
１１    ガイドローラ
１１ａ    第１ガイドローラ
１１ｂ    第２ガイドローラ
１５    庫内壁面
＜第２の実施形態＞
２９    収納容器
２９ａ    容器テーパ壁面
４３    スペース
４５    スライドレール
５２    張り出し部
６１    支持ブラケット
６５    屋根
６７    支持棚部
６８    突起部
６９    係合孔
【図１】
2009030875.tif 000003
【図２】
2009030875.tif 000004
【図３】
2009030875.tif 000005
【図４】
2009030875.tif 000006
【図５】
2009030875.tif 000007
【図６】
2009030875.tif 000008
【図７】
2009030875.tif 000009
【図８】
2009030875.tif 000010
【図９】
2009030875.tif 000011
【図１０】
2009030875.tif 000012
【図１１】
2009030875.tif 000013